(57)【特許請求の範囲】
【請求項１】
他の装置から送信された電子メールを受け付ける受付手段と、
受け付けた前記電子メールから、前記電子メールの差出人に関する情報を取得する取得手段と、
前記取得手段により取得された前記差出人に関する情報と、予め格納されている前記差出人に関する情報とを照会する照会手段と、
予め格納されている前記差出人に関する情報に、前記取得手段により取得された前記差出人に関する情報が記載されている場合、前記電子メールの宛先である機器に前記電子メールの着信を通知する処理を実行し、前記電子メールの宛先が電子メールの送受信に関する機能設定用の宛先であるとき、前記電子メールに含まれるユーザを特定するための情報を用いた、機能設定の権利を有するユーザであるか否かの判別の結果に基づいて機能設定の処理を実行する処理実行手段と
を含むことを特徴とする情報処理装置。
【発明の詳細な説明】
【０００１】
【発明の属する技術分野】
本発明は情報処理装置に関し、特に、電子メールを受け付ける情報処理装置に関する。
【０００２】
【従来の技術】
従来、電子メールを配信する電子メール用サーバは、電話回線等の公衆回線網を介して接続される端末装置のユーザ宛に電子メールが届くと、宛先となる端末装置に電子メールの着信を通知する。
【０００３】
図１０は、従来の電子メール配信システムを示す図である。
【０００４】
コンピュータネットワーク１００を介して入力される携帯端末１３１、１３２、・・・のユーザへの電子メールは、まず電子メール用サーバ１１０に入力される。電子メール用サーバ１１０は、携帯端末１３１、１３２、・・・の電話番号を記憶しており、入力された電子メールに付加されている宛先アドレスから宛先となる携帯端末の電話番号を検索する。そして、検索した電話番号を着信通知専用端末１１２に通知するとともに、入力された電子メールをメールサーバ１１１に格納する。着信通知専用端末１１２は、通知された電話番号に電話をかけ、電子メールの着信を通知する。
【０００５】
ここで、端末装置１３１が公衆回線網１２０を介して電子メール一覧の転送を要求してきた場合、電子メール用サーバ１１０はまずユーザの認証を行う。それからメールサーバ１１１を検索して、該当するユーザへの電子メールの一覧を生成し、これを公衆回線網１２０を介して端末装置１３１に送信する。この端末装置１３１から公衆回線網１２０を介して電子メールの取得要求が送信されると、電子メール用サーバ１１０は、要求に基づいて、メールサーバ１１１に格納している電子メールを、公衆回線網１２０を介して端末装置１３１に配信する。
【０００６】
ところで、電子メールに関する様々な処理が行われる際、端末装置１３１では電子メール用アプリケーションが利用される。ここで、この電子メール用アプリケーションについて説明する。
【０００７】
図１１は、従来の電子メール用アプリケーションの表示画面を示す図である。
【０００８】
電子メール用アプリケーションの表示画面１４０は、アイコン表示部１４１、電子メール一覧表示部１４２、及び電子メール本文表示部１４３から構成されている。表示部１３１ａ及びインタフェース部１３１ｂを持つ端末装置１３１にはマウス等のポインティングデバイス（図示しない）が付随している。ユーザは、表示部１３１ａに表示された表示画面１４０のアイコン表示部１４１に表示されているアイコン１４１ａ、１４１ｂ、・・・を、マウス等のポインティングデバイスによって選択することによって様々な処理が可能である。
【０００９】
例えば電子メール一覧転送要求のアイコンが押下された場合、端末装置１３１の電子メール用アプリケーションは、公衆回線網１２０を介して電子メール用サーバ１１０に電話をかけ、電子メール一覧の転送を要求する。そして、端末装置１３１は、電子メール用サーバ１１０からメールサーバ１１１に格納されている電子メールの一覧を転送されると、取得した電子メールの一覧を電子メール一覧表示部１４２に表示する。
【００１０】
表示された電子メール一覧を見たユーザによって、取得する電子メールが指定され、電子メール本文取得のアイコンが押下された場合、端末装置１３１の電子メール用アプリケーションは公衆回線網１２０を介して電子メール用サーバ１１０に電話をかけ、該当する電子メールの本文を取得する。取得した電子メール本文は、電子メール本文表示部１４３に表示する。
【００１１】
電子メールの送信をする場合、ユーザはインタフェース部１３１ｂを使用して送信相手の電子メールアドレスや電子メール本文を入力すればよい。なお、この際、予め記憶させてあるアドレス帳から送信相手の電子メールアドレスを呼び出したり、定型文を電子メール本文として利用することもできる。いずれにしても、必要なデータを入力した後、電子メール送信のアイコンを押下すればよい。
【００１２】
【発明が解決しようとする課題】
しかしながら、電子メールを受信したときに実行される処理は同一であり、受信した電子メールに対応して、異なる処理を実行することはできなかった。
【００１３】
本発明はこのような点に鑑みてなされたものであり、ユーザが、重要でない電子メールの着信通知で作業を中断されることがないようにすることを目的とする。
【００１４】
【課題を解決するための手段】
本発明の情報処理装置は、他の装置から送信された電子メールを受け付ける受付手段と、受け付けた電子メールから、電子メールの差出人に関する情報を取得する取得手段と、取得手段により取得された差出人に関する情報と、予め格納されている差出人に関する情報とを照会する照会手段と、予め格納されている差出人に関する情報に、取得手段により取得された差出人に関する情報が記載されている場合、電子メールの宛先である機器に電子メールの着信を通知する処理を実行し、電子メールの宛先が電子メールの送受信に関する機能設定用の宛先であるとき、電子メールに含まれるユーザを特定するための情報を用いた、機能設定の権利を有するユーザであるか否かの判別の結果に基づいて機能設定の処理を実行する処理実行手段とを含むことを特徴とする。
【００１７】
本発明の情報処理装置においては、他の装置から送信された電子メールが受け付けられ、受け付けた電子メールから、電子メールの差出人に関する情報が取得され、取得された差出人に関する情報と、予め格納されている差出人に関する情報とが照会され、予め格納されている差出人に関する情報に、取得された差出人に関する情報が記載されている場合、電子メールの宛先である機器に電子メールの着信を通知する処理が実行され、電子メールの宛先が電子メールの送受信に関する機能設定用の宛先であるとき、電子メールに含まれるユーザを特定するための情報を用いた、機能設定の権利を有するユーザであるか否かの判別の結果に基づいて機能設定の処理が実行される。
【００１８】
【発明の実施の形態】
以下、本発明の実施の形態を図面を参照して説明する。
【００１９】
図１は、本発明の原理構成を示したブロック図である。
【００２０】
本発明の電子メール用サーバ１は、コンピュータ通信網２を介してコンピュータ４ａ、４ｂ、・・・から送られてきた電子メールを、電話回線５を介して接続されている携帯端末装置６ａ、６ｂ、・・・へ配信する。この電子メール用サーバ１は、電子メール記憶手段１ａと、差出人名簿格納手段１ｂと、着信通知手段１ｃと、名簿変更手段１ｄとを持つ。
【００２１】
ここで電子メール用サーバ１に含まれた電子メール記憶手段１ａは、携帯端末装置６ａ、６ｂ、・・・のユーザ宛の電子メールを格納する。また、差出人名簿格納手段１ｂは、携帯端末６ａ、６ｂ、・・・のユーザに対応して予め設定された差出人名簿を格納する。着信通知手段１ｃは、携帯端末装置６ａ、６ｂ、・・・のユーザ宛に届いた電子メールが、差出人名簿に登録されている差出人からの電子メールである場合には携帯端末装置６ａ、６ｂ、・・・に対して着信通知をする。そして、名簿変更手段１ｄは、コンピュータ通信網２を介した端末装置３からの入力に応じて、差出人名簿の内容を変更する。
【００２２】
このように、本発明の電子メール用サーバ１では、携帯端末装置６ａ、６ｂ、・・・のユーザ宛に電子メールが届いた際、そのメールの差出人が予め設定されている差出人名簿に登録されている場合にのみ携帯端末装置６ａ、６ｂ、・・・に着信通知を行うので、重要な差出人からの電子メールの着信のみを携帯端末装置６ａ、６ｂ、・・・に通知させることができる。
【００２３】
図２は、本発明を、インターネットプロバイダによる、ＰＨＳ（Personal Handyphone System）機能を持つ携帯端末装置への電子メールサービスに適用した例を示す図である。
【００２４】
インターネットプロバイダのメインサーバ１０は、インターネット１１を介してコンピュータ２０、２１、・・・と接続されている。メインサーバ１０はＬＡＮ（Local Area Network）１４及びアクセスポイント１５を介してＩＳＤＮ（Integrated Services Digital Network）網１６とも接続されている。電子メールサービスを提供するインターネットプロバイダはメールサーバ１２及び着信通知専用端末１３を用意しており、これらの機器はメインサーバ１０と接続されている。着信通知専用端末１３はＩＳＤＮ網１６とも接続されている。携帯端末装置３０、３１、・・・はＰＨＳによる電話機能と電子メール機能とを併せ持っており、基地局１７を介してＩＳＤＮ網１６と接続可能である。
【００２５】
なお、メインサーバ１０には、携帯端末装置３０、３１、・・・の各々に対応するアドレスと、電話番号と、ユーザと、さらにユーザに対応する差出人名簿とが格納されている。
【００２６】
ここで、図１と図２との対応関係について説明すると、図２に示したインターネットプロバイダのメインサーバ１０と、メールサーバ１２と、着信通知専用端末１３とが、図１に示した電子メール用サーバ１に対応している。これをさらに細かく説明すると、図２に示したメールサーバ１２は図１の電子メール用サーバ１に含まれた電子メール記憶手段１ａに対応しており、図２に示した着信通知専用端末１３は、図１の電子メール用サーバ１に含まれた着信通知手段１ｃに対応している。
【００２７】
また、図２に示したインターネット１１は、図１に示したコンピュータ通信網２に対応しており、図２に示したＩＳＤＮ網１６は、図１に示した電話回線５に対応している。
【００２８】
次に、このような電子メール配信システムにおいて、コンピュータ２０、２１、・・・から携帯端末装置３０、３１、・・・のユーザ宛に電子メールが送信された場合の着信通知処理を、順を追って説明する。
【００２９】
図３は、図２に示した電子メール配信システムにおいてコンピュータ２０から携帯端末装置３０のユーザへ電子メールが送信された場合に、携帯端末装置３０に着信通知が出力される手順を示したフローチャートである。以降、ステップ番号に沿って説明を行う。
【００３０】
［Ｓ１］メインサーバ１０は、インターネット１１を介してコンピュータ２０から入力された電子メールを受け付ける。
［Ｓ２］メインサーバ１０は、入力された電子メールをメールサーバ１２に格納する。
［Ｓ３］メインサーバ１０は、入力された電子メールに付加された宛先アドレスと差出人アドレスとを取得する。
［Ｓ４］メインサーバ１０は、宛先（携帯端末装置３０）に対応する差出人名簿を検索して、差出人（コンピュータ２０）が差出人名簿に記載されているか否か、照会を行う。
［Ｓ５］差出人が差出人名簿に記載されていればステップＳ６へ進み、記載されていなければ、このフローチャートの処理を終了する。
［Ｓ６］メインサーバ１０は宛先である携帯端末装置３０の電話番号を検索し、これを差出人名とともに着信通知専用端末１３に通知する。
［Ｓ７］着信通知専用端末１３は、通知された電話番号にＩＳＤＮ網１６を介して電話をかけ、差出人名を含んだ電子メール着信通知を行う。
【００３１】
このように本発明では、予め差出人名簿に記載された差出人からの電子メールの着信に関してのみ、携帯端末装置に着信通知を行う。従って、携帯端末装置のユーザは、重要な電子メールを送信してくる可能性のある差出人のアドレスのみを差出人名簿に記載しておくことによって、重要度の低い電子メールの着信通知により作業を中断されることがなくなる。
【００３２】
次に、ＰＨＳ機能と電子メール機能とを併せ持つ携帯端末装置３０、３１、・・・にて、ユーザがメールサーバ１２に格納された自分宛の電子メールを取得する手順を説明する。
【００３３】
図４は、図２に示した電子メール配信システムにおいて、ユーザが携帯端末装置３０にて自分宛に送信された電子メールを取得する手順を示したフローチャートである。以降、ステップ番号に沿って説明を行う。
【００３４】
［Ｓ１１］ユーザは、携帯端末装置３０のＰＨＳ機能を利用し、基地局１７及びＩＳＤＮ網１６を介して、アクセスポイント１５に電話をかける。電話を受けたアクセスポイント１５はユーザの認証を行う。
［Ｓ１２］アクセスポイント１５は、認証の済んだ携帯端末装置３０を、ＬＡＮ１４を介してインターネットプロバイダのメインサーバ１０に接続する。
［Ｓ１３］ユーザは携帯端末装置３０の電子メール機能を利用してメインサーバ１０に自分宛の電子メール一覧の転送を要求する。
［Ｓ１４］メインサーバ１０は、メールサーバ１２を検索して携帯端末装置３０のユーザを宛先とする電子メールを探索し、電子メール一覧を生成する。なお、この電子メール一覧には、電子メールが送付された日付、差出人アドレス、電子メールのデータ容量が記載されている。
【００３５】
［Ｓ１５］メインサーバ１０は、生成した電子メール一覧を、ＬＡＮ１４、アクセスポイント１５、ＩＳＤＮ網１６、基地局１７を介して携帯端末装置３０に送信する。
［Ｓ１６］携帯端末装置３０の電子メール機能は、送信された電子メール一覧を表示する。ユーザは、表示された電子メール一覧から取得する電子メールを指定する。なお、電子メールを取得しない場合、このフローチャートの処理は終了する。
［Ｓ１７］携帯端末装置３０の電子メール機能は、指定された電子メールに対応して電子メール一覧に記載されているデータ容量から、その電子メールの処理に必要なメモリ量を計算する。
［Ｓ１８］携帯端末装置３０の電子メール機能は、計算したメモリ量と、現時点で使用可能なメモリ量とを比較する。そして、計算したメモリ量が、使用可能なメモリ量以下ならばステップＳ１９へ進む。また、計算したメモリ量が、使用可能なメモリ量より多ければ、ステップＳ２０へ進む。
［Ｓ１９］携帯端末装置３０の電子メール機能は、ユーザが指定した電子メールの取得が不可能である旨の表示を行い、再度ステップＳ１６へ進む。
【００３６】
［Ｓ２０］携帯端末装置３０の電子メール機能は、ユーザが指定した電子メールの取得要求を、基地局１７、ＩＳＤＮ網１６、アクセスポイント１５及びＬＡＮ１４を介してメインサーバ１０に送信する。
［Ｓ２１］電子メールの所得要求を受け付けたメインサーバ１０は、要求された電子メールをメールサーバ１２から検索し、ＬＡＮ１４、アクセスポイント１５、ＩＳＤＮ網１６、基地局１７を介して携帯端末装置３０に送信する。
［Ｓ２２］要求した電子メールを受信した携帯端末装置３０の電子メール機能は、これを表示する。処理は再度ステップＳ１６へ進む。
【００３７】
このように本発明では、携帯端末装置から要求された電子メール一覧を各電子メールの容量も含めて生成する。ユーザは電子メール一覧を見て取得する電子メールを指定できるので、大容量の電子メールを避けることができる。
【００３８】
また、本発明ではユーザが電子メール一覧から取得する電子メールを指定すると、その電子メールに必要なメモリ量を計算して、必要なメモリ量が使用可能なメモリ量より多い場合には、ユーザにその旨の通知を行う。従って、処理できない電子メールを取得しようとする無駄な動作を、未然に防ぐことができる。
【００３９】
ここで、図２に示した携帯端末装置３０、３１、・・・の電子メール機能について詳しく説明する。
【００４０】
図５は、図２に示した携帯端末装置３０に着信通知が送信された場合の表示の様子を示した図である。
【００４１】
図において、ＰＨＳによる電話機能と電子メール機能とを併せ持つ携帯端末装置３０は、表示部３０ａと、ジョグダイヤル３０ｂと、インタフェース部３０ｃとから構成されている。ジョグダイヤル３０ｂは回転及び押下が可能であって、ポインティングデバイスとして使用できる。また、インタフェース部３０ｃは入力手段として使用できる。
【００４２】
ここで、表示部３０ａは、アイコン表示部３０ｄと、データ表示部３０ｅと、アクセスバー表示部３０ｆと、補助表示部３０ｇとから構成されている。表示部３０ａのアイコン表示部３０ｄには、電子メール機能を利用する様々なアイコンが用意されている。またデータ表示部３０ｅには、電子メール一覧や電子メール本文が表示される。アクセスバー表示部３０ｆは、この携帯端末装置３０がアクセス中であった場合に、これを意味するアクセスバーを表示する。そして、補助表示部３０ｇは、電子メールの差出人のアドレスや電子メールの「Subject 」欄に記載されたメッセージ等を表示する。
【００４３】
メインサーバ１０から着信通知があると、携帯端末装置３０では着信音が鳴り、電子メールの差出人名を含んだ着信通知のメッセージが補助表示部３０ｇに表示される。ユーザがジョグダイヤル３０ｂを使用してアイコン表示部３０ｄから電子メール一覧取得のアイコンを選択すると、携帯端末装置３０の電子メール機能は、メインサーバ１０に電子メール一覧取得要求を送信する。
【００４４】
図６は、図２に示した携帯端末装置３０が電子メール一覧を受信した場合の、表示部３０ａの様子を示した図である。
【００４５】
図において、補助表示欄３０ｇには、電子メール一覧を受信した旨をユーザに知らせるメッセージが記載される。またデータ表示部３０ｅには、受信した電子メール一覧が表示される。ここで電子メール一覧には着信の日付と、差出人アドレスと、その電子メールの本文のデータ容量とが記載されている。
【００４６】
なお、本発明の携帯端末装置３０の電子メール機能にはアドレス帳機能がある。このアドレス帳機能は、携帯端末装置３０にて電子メール一覧を取得する度に未知の差出人アドレスを検索し、これをすべて記録する。
【００４７】
ユーザは、ジョグダイヤル３０ｂを使用して、表示された電子メール一覧から取得する電子メールを指定することができる。それから、再度ジョグダイヤル３０ｂを使用してアイコン表示部３０ｄから電子メール取得のアイコンを選択すると、携帯端末装置３０の電子メール機能は、メインサーバ１０に指定された電子メールの取得要求を送信する。
【００４８】
但し、指定された電子メールのデータ容量が大きすぎて処理できない場合には、先に説明したように、取得要求はされず、補助表示欄３０ｇに「ファイルが大きすぎて処理できません。」等のメッセージが表示される。
【００４９】
図７は、図２に示した携帯端末装置３０が、ユーザの指定した電子メールを取得した場合の表示部３０ａの様子を示した図である。
【００５０】
補助表示欄３０ｇには、ユーザが指定した電子メールの本文を受信した旨を、ユーザに知らせるメッセージが記載される。またデータ表示部３０ｅには、それまでの電子メール一覧を隠し、取得した電子メールの本文が表示される。本発明の携帯端末装置３０では、このように、電子メール一覧と、取得した電子メールの本文との同時表示を行わないため、小さなデータ表示欄３０ｅを有効に使用することができる。ここで、のアドレス帳機能を用いて、電子メール本文に含まれる電子メールアドレスを検索し、これをすべて記録する。
【００５１】
なお、本発明の携帯端末装置３０の電子メール機能では、図７のように、取得した電子メールの本文中に電話番号が記載されている場合、この電子メールへの対応を次の３種類から選択することができる。すなわち、この携帯端末装置３０に予め用意されている定型文による電子メール返送と、自由文による電子メール返送と、ＰＨＳ機能を利用した電話対応とが可能である。
【００５２】
取得した電子メールへの対応として、予め用意されている定型文による電子メール返送を選択する場合、ユーザは、ジョグダイヤル３０ｂを使用して、用意されている定型文から任意の文章を、アドレス帳機能から宛先とするアドレスを、アイコン表示部３０ｄから電子メール返送のアイコンを、選択する。携帯端末装置３０の電子メール機能は、選択された文章に、選択されたアドレスを宛先アドレスとして付加し、これをメールサーバ１０に送信する。
【００５３】
取得した電子メールへの対応として、自由文による電子メール返送を選択する場合、携帯端末装置３０のインタフェース部３０ｃを構成しているテンキーは、日本語の５０音を入力できるよう割り当てられる。ユーザはこのインタフェース部３０ｃを利用して自由文を入力する。それから、ジョグダイヤル３０ｂを使用してアドレス帳機能から宛先とするアドレスを、アイコン表示部３０ｄから電子メール返送のアイコンを選択する。携帯端末装置３０の電子メール機能は、生成された文章に、選択されたアドレスを宛先アドレスとして付加し、これをメールサーバ１０に送信する。
【００５４】
さらに、取得した電子メールに電話番号が記載されていて、その電子メールへの対応としてＰＨＳ機能を利用した電話対応を選択する場合、携帯端末装置３０の電子メール機能は、データ表示部３０ｅに表示している電子メールの本文から電話番号となる数字列を抽出する。
【００５５】
図に示した例では、「０３−１２３４−５６７８」や、「０５０−１２３−４５６７」が抽出の対象となる。なお、このように電話番号の候補が複数抽出できる場合、ユーザはジョグダイヤル３０ｂを使用して、任意の一候補を選択する。そして、やはりジョグダイヤル３０ｂを使用してアイコン表示部３０ｄから電話用アイコンを選択する。携帯端末装置３０の電子メール機能は、選択された電話番号に電話をかけるよう、ＰＨＳ機能を制御する。
【００５６】
ここで、本発明における各携帯端末装置に対する電子メール機能の個別設定について説明する。
【００５７】
図８は、携帯端末装置３０に対する電子メール機能の設定をメインサーバ１０に入力するための電子メールの例を示す図である。
【００５８】
携帯端末装置３０のユーザは、携帯端末装置に対する電子メールの機能設定用アドレスが「settei-admin@www.spider.co.jp 」であった場合に、メインサーバ１０に電子メール４０を送信して機能設定を行う。この際、「username」と「password」を記載して、機能設定の権利のあるユーザと、機能設定の権利のないユーザとを判別する。
【００５９】
図に示した機能設定用電子メール４０では、メール返信用定型文として文章「わかりました。」と、文章「０５０−１２３−４５６８に電話を下さい。」と、文章「申し訳ありませんが、だめです。」と、文章「少し遅れます。ごめんなさい。」と、文章「自宅にいますので、連絡下さい。」と、文章「外出中ですので、のちほど連絡します。」と、文章「会議中ですので、のちほど連絡します。」とを設定している。
【００６０】
また、着信通知する差出人として、アドレス「hidaka@arch.somy.co.jp」と、アドレス「ando@www.info.hoge.ac.jp」と、アドレス「www.admin@arch.somy.co.jp 」と、アドレス「root@dkf.ssks.com 」と、アドレス「sss-sqa@miftyserve.or.jp」と、「yamada@www.centre.co.jp 」とを設定している。
【００６１】
従って、この機能設定用の電子メール４０をメインサーバ１０に送信した後で携帯端末装置３０を使用する際、メール返信用定型文は上記の文章から選択することができる。また、メインサーバ１０は、電子メールが上記アドレスの差出人から送信されている場合にのみ、携帯端末装置３０に着信通知を行う。
【００６２】
この他、電子メール４０では行っていないが、携帯端末装置３０から電子メールを送信する際に宛先アドレスとして付加するアドレスの候補を、アドレス帳として設定することも可能である。また、要求に応じて携帯端末装置３０に転送する電子メール一覧のソート方法や、一度の電子メール一覧に含める電子メール数の上限、読んだ電子メールを削除するか否等の細かい設定も、メインサーバ１０の機能設定用アドレスにあてた電子メールに含めることが可能である。さらに、ここでは携帯端末装置３０が着信通知を受けた際に、自動的に新着メールをメインサーバ１０から取得するか否かの設定も可能である。この設定がなされた場合、着信通知を受けた携帯端末装置３０は、ユーザからの指示を待たずにメインサーバ１０にアクセスして新着メールを取得し、表示する。
【００６３】
従来、携帯端末の電子メール機能は、その携帯端末からしか設定できなかったが、本発明ではこのような機能設定が電子メールで可能なため、入力手段の操作性の良いコンピュータ２０、２１、・・・等を使用して、携帯端末装置３０に対する電子メールの機能設定を行うことができる。
【００６４】
なお、メインサーバ１０に、携帯端末装置の電子メール機能の設定画面が用意してある場合には、コンピュータ２０、２１からメインサーバ１０にアクセスして、この機能設定画面を開き、機能設定用の設問に返答を入力していくこともできる。
【００６５】
図９は、メインサーバ１０のホームページに用意する携帯端末装置の電子メール機能の設定画面の例を示した図である。
【００６６】
図において、機能設定画面４１には、ユーザ名記入欄４１ａと、パスワード記入欄４１ｂと、メールのソート方法の記入欄４１ｃと、メールの削除方法の記入欄４１ｄと、メール一覧に含むメールの数の記入欄４１ｅと、・・・が設けられている。また、この機能設定画面４１をスクロールさせた下の方には送信ボタンが設けられている（図示しない）。権利のあるユーザが、様々な設定を記入してからマウス等のポインティングデバイスにて送信ボタンを選択すると、携帯端末装置の電子メールの機能を設定することができる。
【００６７】
以上説明したように、本発明を適用したインターネットプロバイダのメインサーバ１０では、重要な差出人として設定してある差出人から電子メールが送信された場合にのみ携帯端末装置３０、３１、・・・に着信通知を行うので、携帯端末装置３０、３１、・・・のユーザは、重要でない電子メールの着信通知で作業を中断されることがない。
【００６８】
また、携帯端末装置３０、３１、・・・のユーザから、自分宛の電子メールの一覧を要求された場合に、生成する電子メール一覧に、各電子メールの本文のデータ容量を付加して携帯端末装置に転送するので、ユーザは電子メールの取得を要求する際、そのデータ容量を考慮に入れることができる。
【００６９】
さらに、本発明の携帯端末装置３０、３１、・・・では、ユーザが取得を要求した電子メールを、その時点で処理できるか否か、データ容量から判断し、処理できない場合には、ユーザにその旨の通知を出して電子メール用サーバとのアクセスを行わないので、無駄な処理を未然に防ぐことができる。
【００７０】
また、この携帯端末装置３０、３１、・・・では、転送された電子メール一覧に記載された電子メールの差出人のアドレスを記憶しておき、電子メールを送信する際に宛先アドレスとして選択できるので、ユーザは簡単な操作で電子メールの送信が可能である。
【００７１】
さらに、この携帯端末装置３０、３１、・・・の電子メール機能の詳細な設定は、メインサーバに対して行うことができるので、操作性の良い端末装置を使用して機能設定を行うことが可能である。
【００７２】
このように、本発明の電子メール用サーバと携帯端末装置とを適用した電子メール配信システムでは、携帯端末装置の携帯性を損なうことなく、電子メール機能の利便性を向上させることができる。
【００７３】
【発明の効果】
本発明の情報処理装置によれば、他の装置から送信された電子メールが受け付けられ、受け付けた電子メールから、電子メールの差出人に関する情報が取得され、取得された差出人に関する情報と、予め格納されている差出人に関する情報とが照会され、予め格納されている差出人に関する情報に、取得された差出人に関する情報が記載されている場合、電子メールの宛先である機器に電子メールの着信を通知する処理が実行され、電子メールの宛先が電子メールの送受信に関する機能設定用の宛先であるとき、電子メールに含まれるユーザを特定するための情報を用いた、機能設定の権利を有するユーザであるか否かの判別の結果に基づいて機能設定の処理が実行されるようにしたので、ユーザが、重要でない電子メールの着信通知で作業を中断されることがなくなる。
【図面の簡単な説明】
【図１】本発明の原理構成を示したブロック図である。
【図２】本発明を、インターネットプロバイダによる、ＰＨＳ機能を持つ携帯端末装置への電子メールサービスに適用した例を示す図である。
【図３】図２に示した電子メール配信システムにおいてコンピュータから携帯端末装置のユーザへ電子メールが送信された場合に、携帯端末装置に着信通知が出力される手順を示したフローチャートである。
【図４】図２に示した電子メール配信システムにおいて、ユーザが携帯端末装置にて自分宛に送信された電子メールを取得する手順を示したフローチャートである。
【図５】図２に示した携帯端末装置に着信通知が送信された場合の表示の様子を示した図である。
【図６】図２に示した携帯端末装置が電子メール一覧を受信した場合の、表示部の様子を示した図である。
【図７】図２に示した携帯端末装置が、ユーザの指定した電子メールを取得した場合の表示部の様子を示した図である。
【図８】携帯端末装置に対する電子メール機能の設定をメインサーバに入力するための電子メールの例を示す図である。
【図９】メインサーバのホームページに用意する携帯端末装置の電子メール機能の設定画面の例を示した図である。
【図１０】従来の電子メール配信システムを示す図である。
【図１１】従来の電子メール用アプリケーションの表示画面を示す図である。
【符号の説明】
１  電子メール用サーバ，  １ａ  電子メール記憶手段，  １ｂ  差出人名簿格納手段，  １ｃ  着信通知手段，  １ｄ  名簿変更手段，  ２  コンピュータ通信網，  ３  端末装置，  ４ａおよび４ｂ  コンピュータ，  ５  電話回線，６ａおよび６ｂ  携帯端末装置
【図１】
0003932480.tif 000002
【図２】
0003932480.tif 000003
【図３】
0003932480.tif 000004
【図４】
0003932480.tif 000005
【図５】
0003932480.tif 000006
【図６】
0003932480.tif 000007
【図７】
0003932480.tif 000008
【図８】
0003932480.tif 000009
【図９】
0003932480.tif 000010
【図１０】
0003932480.tif 000011
【図１１】
0003932480.tif 000012